(57)【要約】      （修正有）【課題】計量面と液面との境界を容易に視認でき、所定の液量をほぼ正確にかつ容易に計量できる液状物計量用のキャップ及び該キャップを備えた容器を提供することである。【解決手段】液状物充填用の容器本体の口部に着脱可能に外嵌固定され、容器本体から取り外し倒立状にして液状物を注ぎ込むことで、液状物を計量可能としたキャップ１であって、頂壁１５と、頂壁１５の周縁部から下方に延びるように設けられ、容器本体の口部に固定するための嵌合部３４を内周面３２に設けた側壁１６と、側壁１６の内周面３２と離隔して頂壁１５の下面３１から下方に突出するように設けられ、キャップ１に注ぎ込んだ液状物の液面との境界をキャップ１の開口部から目視可能な計量面として、少なくとも一部が凹面よりなる計量面を側面３６に有する計量用凸部１７と、を備えることを特徴とするキャップ１及びキャップ１を備えた容器。【選択図】図１
2015205714.tif 000002
【特許請求の範囲】
【請求項１】
液状物充填用の容器本体の口部に着脱可能に外嵌固定され、前記容器本体から取り外し倒立状にして液状物を注ぎ込むことで、液状物を計量可能としたキャップであって、
頂壁と、
前記頂壁の周縁部から下方に延びるように設けられ、前記容器本体の口部に固定するための嵌合部を内周面に設けた側壁と、
前記側壁の内周面と離隔して前記頂壁の下面から下方に突出するように設けられ、前記キャップに注ぎ込んだ液状物の液面との境界を前記キャップの開口部から目視可能な計量面として、少なくとも一部が凹面よりなる計量面を側面に有する計量用凸部と、を備えることを特徴とする計量用キャップ。
【請求項２】
前記計量用凸部の断面積が、その突出方向に連続的に又は段階的に減少する請求項１に記載の計量用キャップ。
【請求項３】
前記計量用凸部の形状が、錐状又は錐台状である請求項２に記載の計量用キャップ。
【請求項４】
前記計量用凸部の形状が錐台状であり、その下面から下方に突出する突出部を有している請求項３に記載の計量用キャップ。
【請求項５】
液状物充填用の容器本体の口部に着脱可能に外嵌固定され、前記容器本体から取り外し倒立状にして液状物を注ぎ込むことで、液状物を計量可能としたキャップであって、
頂壁と、
前記頂壁の周縁部から下方に延びるように設けられ、前記容器本体の口部に固定するための嵌合部を内周面に設けた側壁と、
前記側壁の内周面と離隔して前記頂壁の下面から下方に突出するように設けられ、前記キャップに注ぎ込んだ液状物の液面との境界を前記キャップの開口部から目視可能な計量面として、突出方向を軸心にして周回する螺旋面よりなる計量面を下面に有する計量用凸部と、を備えることを特徴とする計量用キャップ。
【請求項６】
前記計量面が、前記計量用凸部の突出方向を軸心にして少なくとも一回転周回する螺旋面からなる請求項５に記載の計量用キャップ。
【請求項７】
液状物充填用の容器本体の口部に着脱可能に外嵌固定され、前記容器本体から取り外し倒立状にして液状物を注ぎ込むことで、液状物を計量可能としたキャップであって、
頂壁と、
前記頂壁の周縁部から下方に延びるように設けられ、前記容器本体の口部に固定するための嵌合部を内周面に設けた側壁と、
前記側壁の内周面と離隔して前記頂壁の下面から下方に柱状に突出するように設けられ、前記キャップに注ぎ込んだ液状物の液面との境界を前記キャップの開口部から目視可能な計量面として、少なくとも一部が凹面又は凸面よりなる計量面を下面に有する計量用凸部と、を備えることを特徴とする計量用キャップ。
【請求項８】
液状物充填用の容器本体の口部に着脱可能に外嵌固定され、前記容器本体から取り外し倒立状にして液状物を注ぎ込むことで、液状物を計量可能としたキャップであって、
頂壁と、
前記頂壁の周縁部から下方に延びるように設けられ、前記容器本体の口部に固定するための嵌合部を内周面に設けた側壁と、
前記側壁の内周面と離隔して前記頂壁の下面から下方に突出し、間隔を空けて環状に配置された複数の単位凸部からなり、前記キャップに注ぎ込んだ液状物の液面との境界を前記キャップの開口部から目視可能な計量面として、前記複数の単位凸部の下面からなる計量面を有する計量用凸部と、を備えることを特徴とする計量用キャップ。
【請求項９】
液状物充填用の容器本体の口部に着脱可能に外嵌固定され、前記容器本体から取り外し倒立状にして液状物を注ぎ込むことで、液状物を計量可能としたキャップであって、
頂壁と、
前記頂壁の周縁部から下方に延びるように設けられ、前記容器本体の口部に固定するための嵌合部を内周面に設けた側壁と、
前記側壁の内周面と離隔して前記頂壁の下面から下方に突出し、突出方向を軸心にしてその周りに放射状に配置された複数の板状の翼部からなり、前記キャップに注ぎ込んだ液状物の液面との境界を前記キャップの開口部から目視可能な計量面として、前記複数の翼部の平面視放射状の下面からなる計量面を有する計量用凸部と、を備えることを特徴とする計量用キャップ。
【請求項１０】
前記翼部の突出方向寸法が、前記側壁の内周面に向けて連続的に又は段階的に減少又は増加する請求項９に記載の計量用キャップ。
【請求項１１】
口部を有し、液状物が充填される容器本体と、
前記口部に嵌合手段を介して着脱可能に外嵌固定される請求項１〜１０のいずれか１項に記載の計量用キャップと、を備えることを特徴とする容器。
【請求項１２】
前記液状物が、洗口液、液状医薬部外品又は液状内服用医薬品である請求項１１に記載の容器。
【発明の詳細な説明】
【技術分野】
【０００１】
本発明は計量用キャップ及び容器に関し、より詳しくは、液状物が充填される容器本体の口部に着脱可能に外嵌固定され、液状物の計量が可能なキャップ及び該キャップを備える容器に関する。
【背景技術】
【０００２】
一般に、洗口液、液状医薬部外品や衣料用洗剤、柔軟剤等の液状物を充填した容器本体の注ぎ口となる口部には、液状物を計量する目安になる目盛が内壁面に設けられ、倒立状態にして所定の液量を計量するためのキャップが外嵌固定されている。
【０００３】
衣料用洗剤や柔軟剤等の光による劣化の少ない液状物のキャップは主に透明性材料からなり、目盛と液面との一致をキッャプの横方向から視認することができるが、洗口液や液状医薬部外品は、日光や蛍光灯等の光による劣化を防止する観点から、多くの場合非透明性材料からなるキッャプを用いているため、計量時にはキャップ開口部から液面を確認することになり、目盛と液面との一致を視認しづらくなっている。特に、非透明性材料からなるキャップで、無色透明の液状物を計量する場合は、液面の位置を視認するのは難しい。この場合、例えば、キャップを白色とし、かつ、液状物を不透明にしたり、濃色系に着色したりすることで、視認性はある程度向上するものの、十分満足できる水準にはならなかった。また、液状物の不透明化や着色が望ましくない場合もあるので、計量用キャップにおける液面の視認性のさらなる向上が望まれている。
【０００４】
特許文献１は、頂壁と、頂壁の周縁部から下方に延びる側壁と、頂壁下面から互いに離隔して突出する複数の柱状凸部と、側壁内周面に設けられた段差とからなり、柱状凸部の下面や段差面を液状物の計量面とし、柱状凸部の断面視形状や柱状凸部及び段差の頂壁からの高さが異なるように構成することにより、複数の異なる液量を計量可能にしたキャップを開示している。しかしながら、柱状凸部や段差の頂壁からの高さを変更しても、その差はわずかで遠近感に乏しいため、計量ミスが起き易い。また、柱状凸部の周囲では液状物を注ぎ込む際の液面の変化が少なく、柱状凸部の下面と液面との一致を視認し難いため、柱状凸部の下面を超えて液状物を注ぎ込んでしまう場合も多い。
【０００５】
特許文献２は、頂壁と、頂壁の周縁部から下方に延びる側壁と、側壁内周面に円環状に設けられ、周方向に所定の間隔を空けて複数の凹部が形成された段差とからなり、該段差を液状物計量用の目盛として用いるキャップを開示している。特許文献２には、該段差に設けられた凹部により液面が変化するので、計量が容易であると記載されている。しかしながら、現在市販されている液状物充填用容器のキャップは縦横３〜４ｃｍ程度と比較的小さく、該キャップに形成可能な凹部の寸法も小さくなるため、凹部による液面の大きな変化は得られず、液面の視認性を十分に向上させることはできない。
【０００６】
特許文献３は、頂壁とその周縁部から下方に延びる側壁とからなり、液状物を計量するための目盛として、側壁内周面に円環状粗面を設けたキャップを開示している。しかしながら、このキャップを倒立状態にして液状物を注ぎ込む際の液面の変化が乏しいため、液面が円環状粗面の周辺に達したことを瞬時に判断することが難しい。特に、該キャップが不透明性材料で作製されている場合、円環状粗面の視認性が低下しかつ注ぎ込み中の液面の変化が乏しいことから、液状物を余分に注ぎ込み易くなる。特許文献２や特許文献３のように、側壁内周面に計量用の段差や粗面を設けても、液面の視認性向上には有効ではない。
【先行技術文献】
【特許文献】
【０００７】
【特許文献１】特開２０１３−２８３８２号公報
【特許文献２】特開２０１３−１２４１０７号公報
【特許文献３】特開２００３−２１２２５６号公報
【発明の概要】
【発明が解決しようとする課題】
【０００８】
本発明の目的は、計量面と液面との境界を容易に視認でき、所定の液量をほぼ正確にかつ容易に計量できる液状物計量用キャップ及び該キャップを備えた容器を提供することである。
【課題を解決するための手段】
【０００９】
本発明者らは、上記課題を解決するため鋭意研究を重ねた結果、頂壁とその周縁部から下方に延びる側壁部とからなるキャップにおいて、頂壁の下面又は側面から下方に突出しかつ側壁内周面から離隔し、計量面として所定形状の側面を有する計量用凸部を形成することにより、目的に叶う計量用キャップが得られることを見出し、本発明を完成するに至った。
【００１０】
すなわち、本発明は、下記（１）〜（１０）の計量用キャップ及び下記（１１）〜（１２）の容器を提供する。
【００１１】
（１）液状物充填用の容器本体の口部に着脱可能に外嵌固定され、容器本体から取り外し倒立状にして液状物を注ぎ込むことで、液状物を計量可能としたキャップであって、頂壁と、頂壁の周縁部から下方に延びるように設けられ、容器本体の口部に固定するための嵌合部を内周面に設けた側壁と、側壁の内周面と離隔して頂壁の下面から下方に突出するように設けられ、キャップに注ぎ込んだ液状物の液面との境界をキャップの開口部から目視可能な計量面として、少なくとも一部が凹面よりなる計量面を側面に有する計量用凸部と、を備えることを特徴とする計量用キャップ。
【００１２】
上記（１）の計量用キャップによれば、頂壁の下面から下方に突出する計量用凸部の側面の少なくとも一部に凹面からなる斜面を液状物の計量面として設けることにより、液状物の注ぎ始めは液面の変化及び液面のキャップ開口部方向への上昇速度が大きいが、液状物を注ぎ入れるにつれて液面の変化が少なくなり、液面の上昇速度も遅くなるので、計量の終わりが近づいたことを察知し易くなる。また、計量用凸部の側面を凹面とすることにより、液状物を一定の割合で注いでいても、液面の上昇速度が比較的大きく変化し、かつ計量終了時における液面と凹面との境界付近の液厚が計量開始時よりも大きくなることにより、該境界の見た目の動き及び該境界付近の液面の明度に変化が生じるので、特に計量終了近辺領域における凹面と液面との境界を視認し易くなる。また、頂壁の下面から突出する計量用凸部を設けることにより、キャップの開口部をどの位置から見ても液面を明確に視認することができる。
【００１３】
（２）計量用凸部の断面積が、その突出方向に連続的に又は段階的に減少する上記（１）の計量用キャップ。
上記（２）の計量用キャップによれば、計量用凸部がその突出方向に向けて連続的又は段階的に小さくなるので、液面の上昇速度の変化をより確実に察知することができ、所定の液量をより正確にかつ容易に計量できる。
【００１４】
（３）計量用凸部の形状が、錐状又は錐台状である上記（２）の計量用キャップ。
上記（２）のような、断面積がその突出方向に連続的に又は段階的に減少する計量用凸部の形状としては、錐状又は錐台状であることが好ましい。
【００１５】
（４）計量用凸部の形状が錐台状であり、その下面から下方に突出する突出部を有している上記（３）の計量用キャップ。
上記（４）の計量用キャップによれば、液面が錐台状部分の下面に到達した時点で、計量の終了が間近いことが予告されるので、所定の液量をより正確に計量できる。
【００１６】
（５）液状物充填用の容器本体の口部に着脱可能に外嵌固定され、容器本体から取り外し倒立状にして液状物を注ぎ込むことで、液状物を計量可能としたキャップであって、頂壁と、頂壁の周縁部から下方に延びるように設けられ、容器本体の口部に固定するための嵌合部を内周面に設けた側壁と、側壁の内周面と離隔して頂壁の下面から下方に突出するように設けられ、キャップに注ぎ込んだ液状物の液面との境界をキャップの開口部から目視可能な計量面として、突出方向を軸心にして周回する螺旋面よりなる計量面を下面に有する計量用凸部と、を備えることを特徴とする計量用キャップ。
【００１７】
上記（５）の計量用キャップによれば、計量用凸部の下面に所定の螺旋面からなる斜面を計量面として設けることにより、計量面の傾斜をよりなだらかにし、かつ、その面積をさらに大きくすることができる。その結果、液状物の表面張力等の影響で、計量面と液面との境界の視認性が顕著に向上し、液面の上昇を明確に視認でき、所定の液量のより正確な計量が可能になる。また、上記（１）の計量用キャップと同様に、液状物を注ぎ込むにつれて、液面の変化が小さくなり、液面の上昇速度が遅くなるので、その点でも計量が容易になる。
【００１８】
（６）計量面が、計量用凸部の突出方向を軸心にして少なくとも一回転周回する螺旋面からなる上記（５）の計量用キャップ。
上記（６）の計量用キャップによれば、計量面である螺旋面のなだらかさ及び面積を最大限にすることができ、計量時の螺旋面と液面との境界線の上昇速度を高め得るとともに、該境界線を大きくすることが可能であることから、液面の視線性のさらなる向上を図ることができる。
【００１９】
（７）液状物充填用の容器本体の口部に着脱可能に外嵌固定され、容器本体から取り外し倒立状にして液状物を注ぎ込むことで、液状物を計量可能としたキャップであって、頂壁と、頂壁の周縁部から下方に延びるように設けられ、容器本体の口部に固定するための嵌合部を内周面に設けた側壁と、側壁の内周面と離隔して頂壁の下面から下方に柱状に突出するように設けられ、キャップに注ぎ込んだ液状物の液面との境界を前記キャップの開口部から目視可能な計量面として、少なくとも一部が凹面又は凸面よりなる計量面を下面に有する計量用凸部と、を備えることを特徴とする計量用キャップ。
【００２０】
上記（７）の計量用キャップによれば、柱状の計量用凸部の下面に凸面を設けることにより、液面が計量用凸部の下面に達した場合に、液状物の表面張力等の影響で、液面が凸面の表面を伝わるのを非常に視認し易くなるので、所定の液量をほぼ正確にかつ容易に計量できる。また、柱状の計量用凸部の下面に凹面を設けることにより、液面が凹面の表面を伝わるのを非常に視認し易くなると共に、液状物が凹面に入ることにより、液面が盛り上がって波立った後に直ぐに波立ちがおさまるので、所定の液量をほぼ正確にかつ容易に計量できる。
【００２１】
（８）液状物充填用の容器本体の口部に着脱可能に外嵌固定され、容器本体から取り外し倒立状にして液状物を注ぎ込むことで、液状物を計量可能としたキャップであって、頂壁と、頂壁の周縁部から下方に延びるように設けられ、容器本体の口部に固定するための嵌合部を内周面に設けた側壁と、側壁の内周面と離隔して頂壁の下面から下方に突出し、間隔を空けて環状に配置された複数の単位凸部からなり、キャップに注ぎ込んだ液状物の液面との境界を前記キャップの開口部から目視可能な計量面として、複数の単位凸部の下面からなる計量面を有する計量用凸部と、を備えることを特徴とする計量用キャップ。
【００２２】
上記（８）の計量用キャップによれば、間隔を空けて環状に配置された複数の単位凸部からなる計量用凸部を設け、複数の単位凸部の下面を計量面とすることにより、液状物を注ぎ込むと、複数の単位凸部の各下面が互いに離隔して液面上に突き出たように視認されるので、液面と各下面との一致を立体的に視認できるので、視認性が向上し、所定の液量をほぼ正確にかつ容易に計量できる。
【００２３】
（９）液状物充填用の容器本体の口部に着脱可能に外嵌固定され、容器本体から取り外し倒立状にして液状物を注ぎ込むことで、液状物を計量可能としたキャップであって、頂壁と、頂壁の周縁部から下方に延びるように設けられ、容器本体の口部に固定するための嵌合部を内周面に設けた側壁と、側壁の内周面と離隔して頂壁の下面から下方に突出し、突出方向を軸心にしてその周りに放射状に配置された複数の板状の翼部からなり、キャップに注ぎ込んだ液状物の液面との境界をキャップの開口部から目視可能な計量面として、複数の翼部の平面視放射状の下面からなる計量面を有する計量用凸部と、を備えることを特徴とする計量用キャップ。
【００２４】
上記（９）の計量用キャップによれば、突出方向を軸心にしてその周りに放射状に配置された複数の板状の翼部からなる計量用凸部を設け、複数の翼部の平面視放射状の下面を計量面とすることにより、立体的に視認し易い計量面になると共に、計量面の面積が大きくなるので、液面と計量面との一致を視認し易くなり、所定の液量をほぼ正確にかつ容易に計量できる。
【００２５】
（１０）翼部の突出方向寸法が、側壁の内周面に向けて連続的に又は段階的に減少又は増加する上記（９）の計量用キャップ。
上記（１０）の計量用キャップのうち、翼部の突出方向寸法が側壁の内周面に向かう方向に連続的又は段階的に減少するキャップによれば、各翼部の側壁内周面を臨む側面が斜面となり、液状物の表面張力等の影響で液面が該斜面の表面を伝わるのを非常に視認し易くなるので、所定の液量をほぼ正確にかつ容易に計量できる。また、上記（１０）の計量用キャップのうち、翼部の突出方向寸法が側壁の内周面に向かう方向に連続的又は段階的に増加するキャップによれば、各翼部の軸心を臨む側面が斜面となり、液面が該斜面の表面を伝わるのを非常に視認し易くなるので、所定の液量をほぼ正確にかつ容易に計量できる。
【００２６】
（１１）口部を有し、液状物が充填される容器本体と、口部に嵌合手段を介して着脱可能に外嵌固定される上記（１）〜（１０）のいずれかの計量用キャップと、を備えることを特徴とする容器。
上記（１１）の容器によれば、液状物が充填される容器本体の注ぎ口である口部に外嵌固定された計量用キャップを取り外して倒立し、該キャップに液状物を注ぎ込むことにより、適量の液状物をほぼ正確にかつ容易に計量できる。
【００２７】
（１２）液状物が、洗口液、液状医薬部外品又は液状内服用医薬品である上記（１１）の容器。
上記（１２）の容器によれば、液状物が洗口液、液状医薬部外品又は液状内服用医薬品である場合でも、計量用キャップによる液状物の優れた計量性を損なうことなく、容器本体及び該キャップを不透明性材料で作製し、液状物の光による劣化等を防止することができる。
【発明の効果】
【００２８】
本発明によれば、頂壁と、頂壁の周縁部から下方に延びる側壁部と、頂壁の下面から下方に突出しかつ側壁内周面から離隔し、所定形状の面を計量面として有する計量用凸部とからなり、液状物の計量をほぼ正確にかつ容易に実施できる計量用キャップ及び該キャップを備えた容器を提供できる。
【図面の簡単な説明】
【００２９】
【図１】本発明の第１実施形態の計量用キャップの構成を示す模式図である。
【図２】図１に示す計量用キャップの変形例の構成を示す模式図である。
【図３】図１に示す計量用キャップの変形例の構成を示す模式図である。
【図４】図１に示す計量用キャップの変形例の構成を示す模式図である。
【図５】本発明の第２実施形態の計量用キャップの構成を示す模式図である。
【図６】図５に示す計量用キャップの変形例の構成を示す模式図である。
【図７】本発明の第３実施形態の計量用キャップ及びその変形例の構成を示す模式図である。
【図８】本発明の第４実施形態の計量用キャップ及びその変形例の構成を示す模式図である。
【図９】本発明の第５実施形態の計量用キャップ及びその変形例の構成を示す模式図である。
【図１０】図９に示す計量用キャップの変形例の構成を示す模式図である。
【図１１】本発明の第６実施形態の計量用キャップの構成を示す模式図である。
【図１２】図１１に示す計量用キャップの変形例の構成を示す模式図である。
【図１３】本発明の第７実施形態の計量用キャップの構成を示す模式図である。
【発明を実施するための形態】
【００３０】
図１は、本発明の第１実施形態の計量用キャップ（以下、単に「キャップ」と呼ぶ。）１の構成を示す模式図である。（ａ）は外観形状を示す斜視図、（ｂ）は倒立状態での斜視図、（ｃ）は倒立状態での上面図、及び、（ｄ）は（ｃ）のＸ−Ｘ切断面における断面斜視図である。なお、本明細書では、倒立状態のキャップを想定して、各計量用凸部の下面を頂面と呼ぶことがある。本実施形態のキャップ１は、頂壁１５と、頂壁１５の周縁部から下方に延びる側壁１６と、頂壁１５の下面３１から下方に突出し、側壁１６の内周面３２と離隔している計量用凸部１７とを備え、後述するように、計量用凸部１７の四方の側面３６が凹面よりなることを特徴とする。
【００３１】
キャップ１は有底円筒状の外形を有し、液状物が充填された容器本体（不図示）の注ぎ口である口部に着脱可能に外嵌固定され、例えば、容器本体からの液状物の漏出を防ぐとともに、容器本体から取り外して倒立状態にし、液状物を注ぎ込むことで、液状物の所定量を計量する機能を有している。キャップ１の外形は有底円筒状に限定されず、例えば、有底多角形状等の任意の形状とすることができる。キャップ１及び容器本体を構成する材料は透明性材料でも不透明性材料でも良いが、全ての液状物に利用できること等から、不透明性材料で構成することが好ましい。また、容器本体に充填される液状物としては特に限定されないが、例えば、洗口液、液状医薬部外品、液状内服用医薬、各種液状洗剤、衣類用柔軟剤、液状農薬等が挙げられる。
【００３２】
頂壁１５はほぼ円形状であるが、その形状は特に限定されず、例えば任意の多角形状などでも良い。
側壁１６の外周面３０には、周方向に所定の間隔を空けて複数の凹部３３が配置され、液状物を充填する容器本体の口部へのキャップ１の着脱を容易にしている。凹部３３の形状は本実施形態では三角形状であるが、任意の形状とすることができる。凹部３３に代えて任意形状の凸部を設けてもよく、さらに凹部３３や凸部を設けなくてもよい。
【００３３】
また、側壁１６の内周面３２の所定位置には、キャップ１を容器本体の口部に外嵌固定するための嵌合部としてねじ山３４が形成され、これを口部の外周面のねじ山に螺合させることにより、キャップ１が口部に外嵌固定される。また、本実施形態では、側壁１６の内周面３２におけるキャップ１の開口部近傍に段差が設けられている。この段差は、液面の視認性をさらに向上させる観点等から、横方向において、後述する計量用凸部１７の頂面３５と同じ位置に設けることが好ましいが、頂面３５よりも高い位置又は低い位置にも設けることができ、設けなくてもよい。また、液面の視認性を一層向上させる観点等から、側壁１６の内周面３２における計量用凸部１７の側面３６に対向する領域を、キャップ１とは異なる色に着色することもできる。
【００３４】
本実施形態では、キャップ１の外周面３０において、頂壁１５と側壁１６との境界部分はなだらかな曲面で構成されているが、これに限定されず、平坦な面と、該面の周縁から該面に対してほぼ垂直下方に延びる筒状面とからなる外周面であっても良い。
【００３５】
計量用凸部１７は、頂壁１５とほぼ同軸状に設けられ、形状がほぼ四角錘台状であり、ほぼ平坦面である頂面３５と斜面である四方の側面３６とを有している。
【００３６】
頂面３５は計量基準面であり、液面が頂面３５とほぼ同じ高さになるまで液状物を注ぎ込むと、所定の液量を計量できる。頂面３５は比較的大きな面積を有しているので、液状物の表面張力等が作用し易くなっている。すなわち、液面が頂面３５を浸潤する直前に、液状物の表面張力等が作用し、わずかな時間ではあるが、液面による頂面３５の浸潤が抑制されるので、液面が頂面３５に達したことを視認し易くなる。頂面３５を凸面又は凹面にすれば、さらにその効果が大きくなり、視認性がさらに向上する。
【００３７】
四方の各側面３６は計量用凸部１７の軸心方向に凹んだ凹面であり、キャップ１に注ぎ込んだ液状物の液面との境界をキャップ１の開口部から目視可能な計量面（以下単に「計量面」とする）として機能する。側面３６を凹面にすると、側面３６の表面と液面との境界を容易に視認できるようになり、液面の位置が判り易くなる。側面３６をよりなだらかにするか及び／又は側面３６の面積をより大きくすることにより、液面の位置がさらに判り易くなる。また、一つの側面３６とそれに隣接する側面３６との間に稜線が形成されているので、この稜線により液面の視認性が一層向上する。側面３６には、計量用凸部１７の突出方向に延びる１又は複数の溝及び／又は凹部を形成することができる。このような溝や凹部の形成により、注ぎ始めの液面の変化が大きくなり、注ぎ終り前の変化のない液面との対比から、注ぎ終りのタイミングをさらに察知し易くなる。
【００３８】
また、計量用凸部１７が頂壁１５とほぼ同軸状に頂壁１５の下面３１から突出し、さらに計量用凸部１７の断面積がその突出方向に連続的に減少しているので、注ぎ始めは液面の変化（乱れ）及び液面の上昇速度が大きいが、注ぎ込むにつれて液面の変化が少なくなり、液面の上昇速度が小さくなる。その結果、計量の終了が間近いことを察知し、注ぎ込む量を加減することができるので、より正確な計量が可能になる。また、計量用凸部１７を設けることにより、液面の視認性が顕著に向上し、液状物を無色透明にすることもできるので、容器本体に充填される液状物の設計自由度も向上する。
【００３９】
本実施形態の計量用凸部１７の形状は四角錐台状であるが、斜面である側面が凹面であれば特に限定されず、例えば、三角錐台、五角錐台、六角錐台等の多角錐台状や円錐台状等の任意の錐台状でもよく、さらに三角錐、四角錐等の多角錐や、円錐等の錐状であってもよい。
【００４０】
また、本実施形態では、計量用凸部１７及び側壁１６の内周面３２と離隔しかつ計量用凸部１６の周囲を取り囲み、頂壁１５の下面３１から下方に突出する円環薄壁状の液漏れ防止部材を設けているが、該部材は設けても設けなくてもよい。
【００４１】
図２（図２Ａ〜２Ｄ）はキャップ１の変形例であるキャップ２Ａ〜２Ｄの構成を示す模式図である。図２Ａ、２Ｂ及び２Ｄにおいて、（ａ）は外観形状を示す斜視図、（ｂ）は倒立状態での斜視図、（ｃ）は倒立状態での上面図、及び、（ｄ）は（ｃ）のＸ−Ｘ切断面における断面斜視図である。図２Ｃにおいて、（ａ）は外観形状を示す斜視図、（ｂ）は倒立状態での上面図、及び、（ｃ）は（ｂ）のＸ−Ｘ切断面における断面斜視図である。図２Ｃ及び図２Ｄでは、キャップ２Ｃ、２Ｄを容器本体の口部に外嵌固定するための嵌合部であるねじ山の図示を省略する。
【００４２】
図２Ａに示すキャップ２Ａは、頂壁１５とほぼ同軸状にその下面３１から下方に突出する計量用凸部１７Ａを有している。計量用凸部１７Ａは、下面３１に繋がるほぼ四角柱状の基部３７と、基部３７に繋がるほぼ四角錐台状の突出部３８とからなる。突出部３８は、頂面３９と四方の側面４０とを有し、各側面４０は計量用凸部１７Ａの軸心方向に凹んだ凹面となっている。キャップ２Ａにおいて、頂面３９が計量基準面となり、各側面４０が計量面となっている。キャップ２Ａは、キャップ１と同じ効果を有している。
【００４３】
また、四角柱状の基部３７を設けることで、液面との境界線が四角柱状の基部３７から四角錐台状の突出部３８に移行する際に、境界線に動的な変化が生じる。このような動的な変化は、計量者に計量の終わりが近づいてきたことの注意を喚起する。また、四角柱状の基部３７を設けることで、突出部３８の各側面４０の曲率をより小さくすることができるため、液面の視認性をより一層向上させることができる。
【００４４】
図２Ｂに示すキャップ２Ｂは、頂壁１５とほぼ同軸状にその下面３１から下方に突出し、突出方向の断面が一方向に長いほぼ長方形状である計量用凸部１７Ｂを有している。計量用凸部１７Ｂは、計量基準面である頂面４１を長方形状にして面積を大きくしているので、頂面４１と液面との一致がより視認し易くなっている。また、計量用凸部１７Ｂの軸心方向に凹んだ凹面からなり、計量面として機能する四方の側面４２、４３のうち、計量用凸部１７Ｂの厚み方向に対向する側面４３の面積を大きくしているので、側面４３と液面との境界が一層視認し易くなり、液面の上昇がより判り易くなる。キャップ２Ｂは、キッャブ１と同じ効果を有している。
【００４５】
図２Ｃに示すキャップ２Ｃは、頂壁１５の下面３１から下方に突出し、幅方向における断面視形状がほぼ台形である計量用凸部１７Ｃを有している。計量用凸部１７Ｃは、計量基準面として頂面４４を有しているので計量の終了を視認でき、また、計量面として凹面からなる斜面である側面４５を有している。キャップ２Ｃは、キャップ１と同じ効果を有している。
【００４６】
図２Ｄに示すキャップ２Ｄは、頂壁１５の下面３１から下方に突出し、四角錐台をその周方向に所定角度ねじった形状の計量用凸部１７Ｄを有している。計量用凸部１７Ｄは、計量基準面である頂面４６と、計量面である、凹面からなる四方の側面４７とを有している。なお、本実施形態では、一の側面４７とそれに隣接する他の側面４７との境界に形成される稜線が曲線になることから、稜線による液面の視認効果は若干低くなるものの、平坦な頂面４６と凹面である各側面４７とを設けることによる効果は、キャップ１やキャップ２Ａ〜２Ｃと同等であり、所定の液量をほぼ正確にかつ容易に計量できる。
【００４７】
図３（図３Ａ〜３Ｃ）はキャップ１の変形例であるキャップ３Ａ〜３Ｃの構成を示す模式図である。図３Ａ及び３Ｃにおいて、（ａ）は外観形状を示す斜視図、（ｂ）は倒立状態での斜視図、（ｃ）は倒立状態での上面図、及び、（ｄ）は（ｃ）のＸ−Ｘ切断面における断面斜視図である。図３Ｂにおいて、（ａ）は外観形状を示す斜視図、（ｂ）は倒立状態での上面図、及び、（ｃ）は（ｂ）のＸ−Ｘ切断面における断面斜視図である。なお、図３Ｃでは、キャップ３Ｃを容器本体の口部に外嵌固定するための嵌合部であるねじ山の図示を省略する。
【００４８】
図３Ａに示すキャップ３Ａは、頂壁１５とほぼ同軸状にその下面３１から下方に突出し、ほぼ八角錐台状の形状を有する計量用凸部１８Ａを有している。計量用凸部１８Ａは、ほぼ八角形の頂面５０を計量基準面として、また、凹面からなる八つの側面５１を計量面としてそれぞれ有している。本実施形態では、頂面５０を八角形とすることにより、頂面５０を大面積とすることができるので、頂面５０と液面との一致を視認し易くなっている。また、各側面５１は、八つに分けられているのでその面積が比較的小さくなっているが、凹面になっているので、各側面５１の表面と液面との境界の視認性は良好である。キャップ３Ａは、キャップ１と同じ効果を有している。
【００４９】
図３Ｂに示すキャップ３Ｂは、頂壁１５とほぼ同軸状にその下面３１から下方に突出し、ほぼ円錐台状の形状を有する計量用凸部１８Ｂを有している。計量用凸部１８Ｂは、計量基準面としてほぼ円形の頂面５２を有し、計量面として凹状の円錐面からなる側面５３を有している。本実施形態では、側面５３が円錐面となっており、角錐台や角錐のような稜線を有していないが、頂面５２が円形で大面積とすることが容易であり、かつ、側面５３である円錐面が凹面となっていることから、液量をほぼ正確にかつ容易に計量することができる。キャップ３Ｂは、キャップ１と同じ効果を有している。
【００５０】
図３Ｃに示すキャップ３Ｃは、頂壁１５とほぼ同軸状にその下面３１から下方に突出し、ほぼ円錐台の基本形状を有し、その四隅が直角三角錐状に切欠かれ、平面視十字状の計量用凸部１８Ｃを有している。計量用凸部１８Ｃは、計量基準面としてほぼ円形の頂面５２を有し、計量面として帯状の凹面である四方の側面５４を有している。計量用凸部１８Ｃによれば、側面５４により液面の上昇を確認しながら液状物を注ぎ込むことができ、液面が頂面５２付近に達した時に、液面の頂面５２への浸潤が一瞬抑制されるのを明確に視認できるので、正確な計量を行なうことができる。キャップ３Ｃは、キャップ１と同じ効果を有している。
【００５１】
図４（図４Ａ〜４Ｂ）はキャップ１の変形例であるキャップ４Ａ〜４Ｂの構成を示す模式図である。図４Ａにおいて、（ａ）は外観形状を示す斜視図、（ｂ）は倒立状態での上面図、及び、（ｃ）は（ｂ）のＸ−Ｘ切断面における断面斜視図である。図４Ｂにおいて、（ａ）は外観形状を示す斜視図、（ｂ）は倒立状態での斜視図、（ｃ）は倒立状態での上面図、及び、（ｄ）は（ｃ）のＸ−Ｘ切断面における断面斜視図である。
【００５２】
図４Ａに示すキャップ４Ａは、頂壁１５とほぼ同軸状にその下面３１から下方に突出する計量用凸部１９Ａを有している。計量用凸部１９Ａは、凹面からなる四方の側面５８を有するほぼ四角錐台状の基部５５と、基部５５の頂面５７から下方に突出し、四角形状の平坦な頂面５９を有する角柱部５６とからなり、基部５５の各側面５８が計量面となり、角柱部５６の頂面５９が計量基準面となる。基部５５の側面５８により液面の上昇を確認しながら液状物を注ぎ込み、基部５５の頂面５７が液中に埋没した時点で計量の終了が近いことが予告され、角柱部５６の頂面５９まで液状物を注ぎ込むことが容易になるので、所定の液量をほぼ正確に計量できる。基部５５及び角柱部５６の高さの比率は適宜変更できる。本実施形態では、基部５５の上に角柱部５６を積み重ねて二段に構成しているが、複数の角柱及び／又は円柱を積み重ね、三段以上に構成してもよい。キャップ４Ａは、キャップ１と同じ効果を有している。
【００５３】
図４Ｂに示すキャップ４Ｂは、頂壁１５とほぼ同軸状にその下面３１から下方に突出する計量用凸部１９Ｂを有している。計量用凸部１９Ｂは、凹面からなる四方の側面５８を有するほぼ四角錐台状の基部５５と、基部５５の頂面５７から下方に突出し、基部５５に対して周方向に約９０度回転させた四角柱状の形状を有し、頂面６１が平坦面である角柱部６０とからなり、基部５５の四方の側面５８が計量面となり、角柱部６０の頂面６１が計量基準面となる。基部５５と角柱部６０との高さ（突出方向寸法）の比率は適宜変更できる。キャップ４Ｂも、キャップ１と同様に、所定の液量をほぼ正確にかつ容易に計量できるという効果を有している。
【００５４】
図５は、本発明の第２実施形態のキャップ５の構成を示す模式図である。（ａ）は外観形状を示す斜視図、（ｂ）は倒立状態での斜視図、（ｃ）は倒立状態での上面図、及び、（ｄ）は（ｃ）のＸ−Ｘ切断面における断面斜視図である。
【００５５】
キャップ５は、頂壁１５とほぼ同軸状に頂壁１５の下面３１から下方に突出し、ほぼ円柱状の外形を有する計量用凸部２０を有している。計量用凸部２０は、平面視ほぼ円形であるその下面（頂面）が、その下端６２ａから上端６２ｂに向けて計量用凸部２０の突出方向の軸心回りに周回しながら緩やかに上昇する螺旋面６２と、上端６２ｂから螺旋面６２に続く平坦面６３とからなり、該下面の中心部分にはほぼ円形の平坦面である頂面６４を有する円柱状突起が突出している。なお、螺旋面６２の下端６２ａと平坦面６３の螺旋面６２と接しない側の端辺との間には、下端６２ａから計量用凸部２０の突出方向に立ち上がって該端辺に続くほぼ平坦な壁面が形成されている。本実施形態では、平坦面６３は設けずに、螺旋面６２を軸心回りに一回転させるように構成してもよく、また、平坦面６３の幅寸法に応じて螺旋面６２の周回角度を調整してもよい。
【００５６】
計量面として機能する螺旋面６２を採用することにより、液面との境界線の上昇速度が高くなり、かつ、該境界線の長さも大きくなるので、螺旋面６２の表面と液面との境界は非常に判別し易い。また、該境界線の上昇速度が高くなっても、螺旋面６２の採用により、斜面長が第１実施形態のキャップ１に比べて顕著に大きくなっているので、計量ミスの発生が防止される。平坦面６３は、例えば、計量がまもなく終了することを予告する機能を有している。頂面６４は、例えば、計量基準面として機能する。螺旋面６２により液面の位置を確認しながら液状物を注ぎ込み、液面が平坦面６３に達した時点で間もなく計量が終了することを予告されるので、特別な注意を払うことなく液面が頂面６４に達するまで液状物を注ぎ込むことができ、所定の液量をほぼ正確にかつ容易に計量できる。
【００５７】
図６（図６Ａ〜図６Ｃ）は、図５に示すキャップ５の変形例であるキャップ６Ａ、６Ｂ、６Ｃの構成を示す模式図である。（ａ）は外観形状を示す斜視図、（ｂ）は倒立状態での斜視図、（ｃ）は倒立状態での上面図、及び、（ｄ）は（ｃ）のＸ−Ｘ切断面又はＹ−Ｙ切断面における断面斜視図である。
【００５８】
図６Ａに示すキャップ６Ａは、頂壁１５とほぼ同軸状に頂壁１５の下面３１から下方に突出し、ほぼ円柱状の外形を有する計量用凸部２０Ａを有している。計量用凸部２０Ａは、平面視ほぼ円形であるその下面が、計量面としての螺旋面６２と、螺旋面６２に続く平坦面６３とからなり、該下面の中心部分にはほぼ円柱状の空洞６５が形成されている。空洞６５における計量用凸部２０Ａの突出方向の先端領域が計量基準面になる。螺旋面６２及び平坦面６３は計量用凸部２０と同じ構成である。下面の中心部分に円筒状の空洞６５を形成することにより、液面と空洞６５の前記先端領域との境界を明確に判別でき、それにより、ほぼ所定の液量に達したことが分かるので、所定の液量をほぼ正確にかつ容易に計量できる。なお、空洞６５の容積は、計量する液状物の液性（例えば粘度）等を勘案して適宜設定される。
【００５９】
図６Ｂに示すキャップ６Ｂは、頂壁１５とほぼ同軸状に頂壁１５の下面３１から下方に突出し、平面視がほぼ円形である計量用凸部２０Ｂを有している。計量用凸部２０Ｂは、下面（頂面）が螺旋面である柱状突起６６と、柱状突起６６に接して、断面視がほぼ板状であり（但し側壁１６の内周面３２に対向する側面は平面視ほぼ円弧状）、前記螺旋面よりも高い位置にほぼ平坦な頂面６８を有する板状突起６７とからなる。板状突起６７は、側壁１６の内周面３２に対向しない側面が柱状突起６６の螺旋面と接している。螺旋面は、計量用凸部２０Ｂの突出方向を軸心にして板状突起６７の前記側面の回りを周回して緩やかに上昇している。本実施形態では、螺旋面が計量面となり、頂面６８が計量基準面となり、キャップ５と同様の効果を有している。
【００６０】
本実施形態では、柱状突起６６の頂面として設けられた螺旋面の螺旋軸を柱状突起６６の軸心から外側方向に移動させることができる。例えば、柱状突起６６の突出方向途中部において、螺旋面の螺旋軸を外側方向に移動させると、途中部が下端部及び上端部よりも大面積化した螺旋面を得ることができる。このような螺旋面に対して液状物を注ぐと、螺旋面上を上昇する液面との境界線の長さが、下端部では小さく、途中部では大きく、上端部では小さくと変化するので、液面との境界を一層視認し易くなる。
【００６１】
図６Ｃに示すキャップ６Ｃは、頂壁１５とほぼ同軸状に頂壁１５の下面３１から下方に突出する計量用凸部２０Ｃを有している。計量用凸部２０Ｃは、板状突起６７と、板状突起６７の近傍に位置する一端から立ち上がって、板状突起６７と接する他端に向けて、突出方向を軸心にしてその回りを緩やかに上昇しながら周回する螺旋面となっている円弧状突起６９とからなる。円弧状突起６９の下面（頂面）が螺旋面となっている。板状突起６７は、キャップ６Ｂと同じ構成である。キャップ６Ｃは、円弧状突起６９の螺旋面が計量面であり、板状突起６７の頂面６８が計量基準面であり、キャップ５と同じ効果を有している。
【００６２】
図５及び図６に示す実施形態では、螺旋面を計量面とし、螺旋面に併設される柱状突起又は柱状の空洞又は板状突起の頂面を計量基準面としているが、例えば、螺旋面が計量用凸部の突出方向を軸心にして少なくとも一回転周回するように構成して計量面とし、螺旋面の上端を計量基準領域とするか又は螺旋面の上端に平坦面を設けて計量基準面としてもよい。これは、螺旋面表面と液面との境界の視認性が非常に良好であること等に基づいている。また、本実施形態では、キャップとは異なる色に着色した螺旋面を用いることにより、液面の視認性をより一層向上させることができる。
【００６３】
図７（図７Ａ及び図７Ｂ）は、本発明の第３実施形態のキャップ７Ａ及びその変形例であるキャップ７Ｂの構成を示す模式図である。図７に示す実施形態は、計量用凸部が間隔を空けて環状に配置された複数の単位凸部からなることを特徴としている。図７Ａ及び図７Ｂにおいて、（ａ）は外観形状を示す斜視図、（ｂ）は倒立状態での上面図、及び、（ｃ）は（ｂ）のＹ−Ｙ切断面における断面斜視図である。図７Ａ及び図７Ｂでは、キャップ７Ａ、７Ｂを容器本体の口部に外嵌固定するための嵌合部であるねじ山の図示を省略する。
【００６４】
図７Ａに示すキャップ７Ａは、頂壁１５とほぼ同軸状に頂壁１５の下面３１から下方に突出し、間隔を空けて環状に配置された３個の円弧状単位凸部７０からなる計量用凸部２１Ａを有し、各円弧状単位凸部７０の頂面７１が計量面及び計量基準面を兼ねている。キャップ７Ａは、複数の頂面７１を互いに離隔してほぼ円形に配置することにより、各頂面７１と液面との一致を視認し易くなっているので、所定の液量をほぼ正確にかつ容易に計量できる。本実施形態では、円弧状単位凸部７０の個数は３個に限定されず、円弧状単位凸部７０の幅方向寸法を適宜調整しながら、１又は複数の任意の個数とすることができる。
【００６５】
図７Ｂに示すキャップ７Ｂは、頂壁１５とほぼ同軸状に頂壁１５の下面３１から下方に突出し、間隔を空けて環状に配置され、かつ側壁１６の内周面３２に向けてその突出方向側端部が傾斜した３個の円弧状単位凸部７２からなる計量用凸部２１Ｂを有している。円弧状単位凸部７２の内周面３２とは非対向側の側面（内面）が傾斜した凹面となり、該側面と液面との境界が非常に視認し易くなるので、計量面として利用できると共に、円弧状単位凸部７２のほぼ平坦な頂面７３が計量面及び計量基準面を兼ねている。キャップ７Ｂは、キャップ７Ａと同じ効果を有している。
【００６６】
図８（図８Ａ及び図８Ｂ）は、本発明の第４実施形態のキャップ８Ａ及びその変形例であるキャップ８Ｂの構成を示す模式図である。図８に示す実施形態は、計量用凸部がその突出方向を軸心にしてその周りに放射状に配置された複数の板状翼部からなることを特徴としている。図８Ａ及び図８Ｂにおいて、（ａ）は外観形状を示す斜視図、（ｂ）は倒立状態での上面図、及び、（ｃ）は（ｂ）のＸ−Ｘ又はＹ−Ｙ切断面における断面斜視図である。図８Ａでは、キャップ８Ａを容器本体の口部に外嵌固定するための嵌合部であるねじ山の図示を省略する。
【００６７】
キャップ８Ａは、頂壁１５とほぼ同軸状に頂壁１５の下面３１から下方に突出し、突出方向を軸心にしてその周りに放射状に配置され、その軸心部分で互いに連結された８個の板状翼部７４からなる計量用凸部２２Ａを有している。本実施形態では、８個の板状翼部７４の頂面が繋がって形成される平面視放射状の頂面７５が計量面及び計量基準面を兼ねている。キャップ８Ａは、頂面７５が放射状でありかつその面積が大きくなっていることにより、頂面７５を立体的に視認し易くなるので、頂面７５と液面との一致を視認し易く、所定の液量をほぼ正確にかつ容易に計量できる。また、本実施形態では、板状翼部７４の個数は３以上の任意の個数とすることができる。
【００６８】
キャップ８Ｂは、頂壁１５とほぼ同軸状に頂壁１５の下面３１から下方に突出し、突出方向を軸心にしてその周りに放射状に十字に配置され、その軸心部分で互いに連結された４個の板状翼部７６からなる計量用凸部２２Ｂを有している。本実施形態では、４個の板状翼部７６の頂面が繋がって形成される平面視十字状の頂面７７が計量面及び計量基準面を兼ねている。頂面７７は、十字状の形状を有しかつ大面積化され、立体的な視認が容易になっているので、キャップ８Ｂはキャップ８Ａと同じ効果を有している。
【００６９】
図９（図９Ａ及び図９Ｂ）は、本発明の第５実施形態のキャップ９Ａ及びその変形例であるキャップ９Ｂの構成を示す模式図である。図９に示す実施形態は、複数の板状翼部からなる計量用凸部において、板状翼部の高さ（突出方向）寸法が、側壁１６の内周面３２に向けて連続的に減少することを特徴としている。図９Ａにおいて、（ａ）は外観形状を示す斜視図、（ｂ）は倒立状態での上面図、及び、（ｃ）は（ｂ）のＹ−Ｙ切断面における断面斜視図である。図９Ｂにおいて、（ａ）は外観形状を示す斜視図、（ｂ）は倒立状態での斜視図、（ｃ）は倒立状態での上面図、及び、（ｄ）は（ｃ）のＹ−Ｙ切断面における断面斜視図である。
【００７０】
図９Ａに示すキャップ９Ａは、計量用凸部２３Ａを有している。計量用凸部２３Ａは、頂壁１５とほぼ同軸状に頂壁１５の下面３１から下方に突出し、その突出方向を軸心にしてその周りに放射状に十字に配置され、その軸心部分において互いに連結された４個の板状翼部７８からなる。各板状翼部７８は、その高さ（突出方向）寸法が軸心から側壁１６の内周面３２に向かう方向に徐々に減少し、その頂面７８ａはなだらかに傾斜する凹面となっている。計量用凸部２３Ａは、さらに、その軸芯部分におけるほぼ円形の平坦な面である頂面７９を有し、頂面７９に続いて各板状翼部７８の頂面７８ａが四方に延びている。本実施形態のキャップ９Ａは、頂面７９が計量面及び計量基準面を兼ね、各頂面７８ａが補助的に計量面として機能するので、所定の液量をほぼ正確にかつ容易に計量できる。
【００７１】
図９Ｂに示すキャップ９Ｂは、計量用凸部２３Ｂを有している。計量用凸部２３Ｂは、頂壁１５とほぼ同軸状に頂壁１５の下面３１から下方に突出し、その突出方向を軸心にしてその周りに放射状に十字に配置され、その軸心部分において互いに連結された４個の板状翼部８０からなる。各板状翼部８０は、その高さ（突出方向）寸法が軸心から側壁１６の内周面３２に向かう方向に徐々に減少し、その頂面８１はなだらかに傾斜する凸面となっている。計量用凸部２３Ｂは、その軸芯部分におけるほぼ平坦な面に続いて各板状翼部８０の頂面８１が四方に延びた頂面を有している。本実施形態のキャップ９Ｂは、計量用凸部２３Ｂの頂面が計量面及び計量基準面を兼ね、各頂面８１が計量面として補助的に機能するので、所定の液量をほぼ正確にかつ容易に計量できる。
【００７２】
図１０（図１０Ａ〜図１０Ｃ）は、図９に示すキャップ９Ａ、９Ｂの変形例であるキャップ１０Ａ、１０Ｂ、１０Ｃの構成を示す模式図である。図１０に示す実施形態は、複数の板状翼部からなる計量用凸部において、板状翼部の高さ（突出方向）寸法が、側壁１６の内周面３２に向けて連続的に増加することを特徴としている。図１０Ａ〜図１０Ｃにおいて、（ａ）は外観形状を示す斜視図、（ｂ）は倒立状態での上面図、及び、（ｃ）は（ｂ）のＸ−Ｘ切断面における断面斜視図である。図１０では、キャップ１０Ａ、１０Ｂ、１０Ｃを容器本体の口部に外嵌固定するための嵌合部であるねじ山の図示を省略する。
【００７３】
図１０Ａに示すキャップ１０Ａは、計量用凸部２４Ａを有している。計量用凸部２４Ａは、頂壁１５とほぼ同軸状に頂壁１５の下面３１から下方に突出し、その突出方向を軸心にしてその周りに放射状に十字に配置され、その軸心部分において互いに連結された４個の板状翼部８２からなる。各板状翼部８２の頂面（下面）は、内周面３２に対向する側の所定寸法の端部である平坦な第１頂面８３ａと、第１頂面８３ａに続いて、軸心方向に向けてなだらかに傾斜する凹面である第２頂面８３ｂとからなる。各板状翼部８２の高さ（突出方向）寸法が計量用凸部２４Ａの軸心から側壁１６の内周面３２に向けて徐々に増加することにより、第２頂面８３ｂが構成される。４個の第２頂面８３ｂは、計量用凸部２４Ａの軸心部分において連結されている。本実施形態のキャップ１０Ａは、計量用凸部２４Ａの第１頂面８３ａが計量面及び計量基準面を兼ね、第２頂面８３ｂが計量面として補助的に機能するので、所定の液量をほぼ正確にかつ容易に計量できる。
【００７４】
図１０Ｂに示すキャップ１０Ｂは、計量用凸部２４Ｂを有している。計量用凸部２４Ｂは、各板状翼部８２の軸心部分での連結部分の高さ（突出方向）寸法が、計量用凸部２４Ａよりも低位となり、かつ、各板状翼部８２の高さ（突出方向）寸法が計量用凸部２４Ｂの軸心から側壁１６の内周面３２に向けて徐々に増加する割合が、計量用凸部２４Ａよりも大きくなっている以外は、計量用凸部２４Ａと同じ構成を有している。計量用凸部２４Ｂによれば、傾斜した凹面である第２頂面８３ｂの面積が計量用凸部２４Ａよりもさらに大きくなり、液面の視認性が一層向上するので、所定の液量をほぼ正確にかつ容易に計量できる。
【００７５】
図１０Ｃに示すキャップ１０Ｃは、その突出方向を軸心にして放射状（又は円環状）に配置され、内周面３２側の端部に所定寸法の平坦面である頂面８５を有する８個の板状翼部８４からなる計量用凸部２４Ｃを有している。各板状翼部８４は計量用凸部２４Ｃの下端部では連結され、上端部及びその近傍では隙間を介して離隔しており、その内部に窪みを形成している。下端部の連結部分の高さ（突出方向）寸法が計量用凸部２４Ｂよりもさらに低位となり、かつ、計量用凸部２４Ｃの軸心から側壁１６の内周面３２に向けて各板状翼部８４の高さ（突出方向）寸法が増加する割合が計量用凸部２４Ｂよりもさらに大きくなっている。計量用凸部２４Ｃによれば、頂面８５が計量面及び計量基準面になると共に、各板状翼部８４の軸心を臨む傾斜した凹面が計量面として補助的に機能する。
【００７６】
計量用凸部２４Ｃによれば、液面が板状翼部８４の頂面８５に近づいて計量終了間際になると、液状物が板状翼部８４間の隙間から窪みに流れ込むことによって、視覚的な予告機能となるだけでなく、液面の上昇速度を低下させることができるので、より正確な計量を実現できる。
【００７７】
図９及び図１０に示す実施形態では、板状翼部７８、８０、８２、８４の高さ（突出方向）寸法が、その軸心から側壁１６の内周面３２に向けて連続的に減少又は増加するように構成しているが、これに限定されず、段階的に減少又は増加（例えば階段状）するように構成しても、液面の視認性を向上させ、ほぼ正確な液量を容易に計量できる。
【００７８】
図１１は、本発明の第６実施形態のキャップ１１の構成を示す模式図である。図１１に示す実施形態は、計量用凸部の下面（頂面）が計量面としての凸面からなることを特徴としている。図１１において、（ａ）は外観形状を示す斜視図、（ｂ）は倒立状態での上面図、及び、（ｃ）は（ｂ）のＸ−Ｘ切断面における断面斜視図である。図１１では、キャップ１１を容器本体の口部に外嵌固定するための嵌合部であるねじ山の図示を省略する。
【００７９】
キャップ１１は、計量用凸部２５を有している。計量用凸部２５は、頂壁１５とほぼ同軸状に頂壁１５の下面３１から下方に突出し、ほぼ半球面である凸面からなる頂面を有する円柱状突起８６と、該円柱状突起８６を中心にして対称位置に配置された６個の円柱状突起８６とからなる。円柱状突起８６の数は特に限定されず、単又は任意の複数個とすることができる。本実施形態では、円柱状突起８６の凸面からなる頂面が計量基準面及び計量面となる。複数の、凸面からなる頂面を設けることにより、頂面を伝う液面の視線性が向上し、所定の液量をほぼ正確に計量できる。また、本実施形態では、柱状部分を円柱状に構成しているが、頂面が凸面であれば柱状部分の形状は特に限定されず、三角柱、四角柱等の多角柱状としてもよい。
【００８０】
図１２（図１２Ａ及び図１２Ｂ）は、図１１に示すキャップ１１の変形例であるキャップ１２Ａ、１２Ｂの構成を示す模式図である。図１２に示す実施形態は、計量用凸部の下面（頂面）が計量面としての凸面又は凹面からなることを特徴としている。図１２において、（ａ）は外観形状を示す斜視図、（ｂ）は倒立状態での上面図、及び、（ｃ）は（ｂ）のＹ−Ｙ切断面における断面斜視図である。
【００８１】
図１２Ａに示すキャップ１２Ａは、計量用凸部２６Ａを有している。計量用凸部２６Ａは、頂壁１５とほぼ同軸状に頂壁１５の下面３１から下方に突出し、その先端部分がほぼ半球状の凸面であり、かつ平坦面である頂面８７ａを有する円柱状突起８７からなる。円柱状突起８７は、図１１に示す円柱状突起８６に比べて十分に大径であり、その先端部分を半球状の凸面とすることにより、凸面の面積が非常に大きくなるので、液面の視認性が顕著に向上する。本実施形態では、頂面８７ａが計量基準面となり、先端部分の半球状の凸面が計量面となるので、所定の液量をほぼ正確にかつ容易に計量できる。
【００８２】
図１２Ｂに示すキャップ１２Ｂは、計量用凸部２６Ｂを有している。計量用凸部２６Ｂは、頂壁１５とほぼ同軸状に頂壁１５の下面３１から下方に突出し、その頂面が凹面８９を有する角柱状突起８８からなる。本実施形態では、角柱状突起８８の頂面が計量基準面となり、凹面８９が計量面となる。凹面８９に液状物が入り込む直前に、液状物の凹面８９への入り込みを抑制する力が瞬間的に働き、凹面８９と液面とを明確に判別できるので、所定の液量に達したことを判別し易くなっている。図１２に示す本実施形態では、円柱状又は四角柱状の計量用凸部を用いているが、これに限定されず、四角柱状を除く任意の多角柱状とすることができる。
【００８３】
実施形態では、例えば液面の視認性を一層向上させるために、キャップ１２Ａにおいて、円柱状突起８７の先端部分の半球状凸面の外周面をキャップ１２Ａとは異なる色に着色したり、またキャップ１２Ｂにおいて、角柱状突起８８頂面の凹面８９の内壁面をキャップ１２Ｂとは異なる色に着色したりしてもよい。
【００８４】
図１３は、本発明の第７実施形態のキャップ１３の構成を示す模式図である。図１３に示す実施形態は、計量用凸部２７が傾斜した凹面を側面として有する円筒状突起９０からなることを特徴としている。図１３において、（ａ）は外観形状を示す斜視図、（ｂ）は倒立状態での上面図、及び、（ｃ）は（ｂ）のＸ−Ｘ切断面における断面斜視図である。図１３では、キャップ１１を容器本体の口部に外嵌固定するための嵌合部であるねじ山の図示を省略する。
【００８５】
図１３に示すキャップ１３は、計量用凸部２７を有している。計量用凸部２７は、頂壁１５とほぼ同軸状に頂壁１５の下面３１から下方に突出し、厚み寸法がその突出方向（頂壁１５の下面３１から頂面９２に向かう方向）に向かって連続的に小さくなり、傾斜した凹面である内周面９１及び円環状の平坦面である頂面９２を有する円筒状突起９０からなっている。キャップ１３では、円環状頂面９２が計量基準面及び計量面となり、内周面９１が計量面として補助的に機能する。頂面９２は、厚み方向に幅を有する平坦面となり、円環状に形成されているので、頂面９２と液面との一致を立体的に視認し易くなっている。また、内周面９１が傾斜した凹面として形成されているので、内周面９１と液面との境界を非常に視認し易くなっている。したがって、本実施形態のキャップ１３は、所定の液量をほぼ正確にかつ容易に計量できる。また、円筒状突起９０を設けているが、これに限定されず、形状が三角柱、四角柱、六角柱等の多角柱状の筒体であり、頂面が平坦面であり、筒体内部の内周面が傾斜した凹面となった筒状突起を設けてもよい。
【００８６】
上記した図２〜図１３の各キャップ２Ａ〜２Ｄ、３Ａ〜３Ｃ、４Ａ〜４Ｂ、５、６Ａ〜６Ｃ、７Ａ〜７Ｂ、８Ａ〜８Ｂ、９Ａ〜９Ｂ、１０Ａ〜１０Ｃ、１１、１２Ａ〜１２Ｂ、１３は、計量用凸部１７に代えて、それぞれ計量用凸部１７Ａ、１７Ｂ、１７Ｃ、１７Ｄ、１８Ａ、１８Ｂ、１８Ｃ、１９Ａ、１９Ｂ、２０、２０Ａ、２０Ｂ、２０Ｃ、２１Ａ、２１Ｂ、２２Ａ、２２Ｂ、２３Ａ、２３Ｂ、２４Ａ、２４Ｂ、２４Ｃ、２５、２６Ａ、２６Ｂ、２７を有する以外は、キャップ１と同じ構成を有し、さらにキャップ１と同じ変形例を有することができる。また、上記した各キャップ１、２Ａ〜２Ｄ、３Ａ〜３Ｃ、４Ａ〜４Ｂ、５、６Ａ〜６Ｃ、７Ａ〜７Ｂ、８Ａ〜８Ｂ、９Ａ〜９Ｂ、１０Ａ〜１０Ｃ、１１、１２Ａ〜１２Ｂ、１３において、容器本体の口部に嵌合するための嵌合部として、ねじ山を設けた例を示したが、これに限定されず、従来から知られている容器本体の口部とキャップとの嵌合手段をいずれも利用できる。
【００８７】
本発明の別の実施形態である容器は、液状物をキャップに注ぎ込むための口部を有する液状物充填用の容器本体と、該口部に嵌合手段を介して着脱可能に外嵌固定されるキャップとを備え、キャップが上記した本発明のキャップであることを特徴とする。
【００８８】
本発明の容器に充填される液状物としては、特に限定されず、例えば、洗口液、液状医薬部外品、液状内服用医薬品、液状洗剤、液状農薬等が挙げられるが、洗口液、液状医薬部外品、液状内服用医薬品等が好ましい。
【００８９】
本発明の容器は、上記した所定の計量用凸部を有する本発明のキャップを倒立状態にして液状物の計量に用いることにより、液面の視線性が向上し、所定の液量をほぼ正確にかつ容易に計量できるので、不透明性材料から構成してもよい。不透明性材料から構成することにより、変質等を伴うことなく、耐光性が十分ではない液状物を長期間にわたって安定的に保存できるようになる。
【符号の説明】
【００９０】
１、２Ａ、２Ｂ、２Ｃ、２Ｄ、３Ａ、３Ｂ、３Ｃ、４Ａ、４Ｂ、５、６Ａ、６Ｂ、６Ｃ、７Ａ、７Ｂ、８Ａ、８Ｂ、９Ａ、９Ｂ、１０Ａ、１０Ｂ、１０Ｃ、１１、１２Ａ、１２Ｂ、１３  キャップ
１５  頂壁
１６  側壁
１７、１７Ａ、１７Ｂ、１７Ｃ、１７Ｄ、１８Ａ、１８Ｂ、１８Ｃ、１９Ａ、１９Ｂ、２０、２０Ａ、２０Ｂ、２０Ｃ、２１Ａ、２１Ｂ、２２Ａ、２２Ｂ、２３Ａ、２３Ｂ、２４Ａ、２４Ｂ、２４Ｃ、２５、２６Ａ、２６Ｂ、２７  計量用凸部
３０  外周面
３１  下面
３２  内周面
３３  凹部
３４  ねじ山
３５、３９、４１、４４、４６、５０、５２、５７、５９、６１、６４、６８、７１、７３、７５、７７、７８ａ、７９、８１、８３ａ、８３ｂ、８５、８７ａ  頂面
３６、４０、４２、４３、４５、４７、５１、５３、５４、５８  側面
３７、５５  基部
３８  突出部
５６、６０  角柱部
６２  螺旋面
６３  平坦面
６５  空洞
６６  柱状突起
６７  板状突起
７０、７２  円弧状単位凸部
７４、７６、７８、８０、８２、８４  板状翼部
８６、８７  円柱状突起
８８  角柱状突起
８９  凹面
９０  円筒状突起
９１  内周面
【図１】
2015205714.tif 000003
【図２Ａ】
2015205714.tif 000004
【図２Ｂ】
2015205714.tif 000005
【図２Ｃ】
2015205714.tif 000006
【図２Ｄ】
2015205714.tif 000007
【図３Ａ】
2015205714.tif 000008
【図３Ｂ】
2015205714.tif 000009
【図３Ｃ】
2015205714.tif 000010
【図４Ａ】
2015205714.tif 000011
【図４Ｂ】
2015205714.tif 000012
【図５】
2015205714.tif 000013
【図６Ａ】
2015205714.tif 000014
【図６Ｂ】
2015205714.tif 000015
【図６Ｃ】
2015205714.tif 000016
【図７Ａ】
2015205714.tif 000017
【図７Ｂ】
2015205714.tif 000018
【図８Ａ】
2015205714.tif 000019
【図８Ｂ】
2015205714.tif 000020
【図９Ａ】
2015205714.tif 000021
【図９Ｂ】
2015205714.tif 000022
【図１０Ａ】
2015205714.tif 000023
【図１０Ｂ】
2015205714.tif 000024
【図１０Ｃ】
2015205714.tif 000025
【図１１】
2015205714.tif 000026
【図１２Ａ】
2015205714.tif 000027
【図１２Ｂ】
2015205714.tif 000028
【図１３】
2015205714.tif 000029